(57)【要約】【課題】防水性を確保しながら、施工性を向上させるとともに、外観の見栄えもよくなる開口部構造を提供すること。【解決手段】玄関口１１を形成する外壁部の左側端縁部１３では、外壁パネル３１を構成する外装材３２の裏面と、縦フレーム材３４のウエブ３４ａの外面とで入隅部が形成されている。左縦枠２１は、縦木枠４１及び縦防水シール４４と一体化されて、縦枠アセンブリとされている。前記入隅部を形成する外装材３２の裏面に、前記縦防水シール４４を押し当てるようにして縦枠アセンブリが取り付けられ、その状態で、縦木枠４１と縦フレーム材３４とがビス４３により固定されている。【選択図】図２
2011214319.tif 000002
【特許請求の範囲】
【請求項１】
建物の壁体に屋内外を連通する開口部が形成され、前記壁体における前記開口部側の端縁部に枠部材が設置される開口部構造であって、
前記壁体の端縁部は、外壁面に対して裏面となる当接面を有するとともに、前記枠部材は、前記当接面に前記裏面側から当接した状態で前記壁体に固定される枠下地部を有することを特徴とする開口部構造。
【請求項２】
前記枠下地部は、前記当接面と対向する対向面を有しており、その対向面と前記当接面との間には防水部材が設けられていることを特徴とする請求項１に記載の開口部構造。
【請求項３】
前記壁体は、外壁面を表面とする外壁面材とその下地フレームとを有する外壁パネルを備え、その外壁パネルの端縁部では、前記外壁面材の裏面と前記下地フレームの端面とで入隅部が形成され、その入隅部を形成する面材裏面を前記当接面としたことを特徴とする請求項２に記載の開口部構造。
【請求項４】
前記枠下地部は、前記対向面に取り付けられた前記防水部材と、前記対向面の反対側に設けられた下地本体とが一体化されてなり、前記下地本体が前記下地フレームに固定されていることを特徴とする請求項３に記載の開口部構造。
【請求項５】
前記枠下地部は、前記防水部材を前記当接面に押し当てるようにして設置され、その防水部材は圧縮された状態で設けられていることを特徴とする請求項２乃至４のいずれか１項に記載の開口部構造。
【請求項６】
前記枠下地部の押し込み量を規制して、前記枠部材が配置される位置を位置決めする位置決め構造を有することを特徴とする請求項５に記載の開口部構造。
【請求項７】
前記枠部材は、前記壁体の端縁部より開口部側で、外壁面から屋外側に張り出す張り出し部を有し、その張り出し部と前記壁体の端縁部との間がシーリング材によりシールされていることを特徴とする請求項１乃至６のいずれか１項に記載の開口部構造。
【請求項８】
建物の壁体に形成されて屋内外を連通する開口部において、前記壁体における前記開口部側の端縁部に枠部材を設置する方法であって、
前記壁体の端縁部は外壁面に対して裏面となる当接面を有し、前記枠部材はその有する枠下地部を前記当接面に前記裏面側から当接させ、その当接状態で前記枠下地部を前記壁体に固定することを特徴とする枠部材設置方法。
【請求項９】
前記枠下地部には、その設置箇所を防水する防止部材が予め設けられており、前記防水部材を前記当接面に押し当ててその防水部材を圧縮させ、その押し当て状態で前記枠下地部を前記壁体に固定することを特徴とする請求項８に記載の枠部材設置方法。
【発明の詳細な説明】
【技術分野】
【０００１】
本発明は、建物の屋内外を連通する開口部の開口部構造、及び壁体における前記開口部側の端縁部にドア枠や窓枠等の枠部材を設置する枠部材設置方法に関する。
【背景技術】
【０００２】
住宅等の建物では、屋内外を連通する開口部に開閉体が設けられるのが一般的である。例えば、玄関口となる開口部には開閉体として玄関扉が設けられるし、窓用の開口部には同じく開閉体として窓障子が設けられる。
【０００３】
開閉体を設置する場合には、建物の開口縁部にまず枠部材が設置され、その枠部材に開閉体が取り付けられるという構成がとられている。そして、その枠部材の設置に関しては、従来、開口縁部に対して屋外側から枠部材が設置されるようになっている（例えば、特許文献１参照）。ちなみに、枠部材は、開口部の左右で縦方向に延びる開口縁部に取り付けられる一対の縦枠と、上下で横方向に延びる開口縁部に取り付けられる一対の横枠とで構成されている。
【０００４】
前記枠部材の設置について、図１０を用いながらもう少し詳しく説明する。図１０は、枠部材の設置構成を示す概略図である。図１０において、（ａ）は屋外側から見た場合の左縦枠の断面図（枠の延びる方向に直交する断面）を示し、（ｂ）は上横枠の断面図を示している。
【０００５】
図１０（ａ）において、建物の外壁部１０１には、開閉体を設置するための開口部１０２が設けられている。開口部１０２を形成する左縦縁部１０３にはその屋外側に入隅部１０４が設けられ、この入隅部１０４を利用して左縦枠１０５が設置されている。左縦枠１０５は、この入隅部１０４の取付面に当接する取付板部１０５ａを有している。そして、この取付板部１０５ａを取付面に当接させた状態で、その両者がビス１０６で固定されている。このようなビス止めが縦方向に沿って複数の箇所で行われ、これにより、左縦枠１０５が左縦縁部１０３に取り付けられている。そして、ビス１０６の屋外側に存在する隙間に防水シール１０７が圧入されてその隙間が閉塞されており、これにより防水性が確保されている。
【０００６】
図１０（ｂ）に示されているように、上横枠１１１も前記左縦枠１０５と同様の設置構成となっている。すなわち、上横縁部１１２の屋外側に設けられた入隅部１１３において、その取付面と上横枠１１１の取付板部１１１ａとが当接した状態で、両者がビス１１４で固定されている。また、隙間には防水シール１１５が圧入されており、防水性も確保されている。
【先行技術文献】
【特許文献】
【０００７】
【特許文献１】特開平１１−５０７５０号公報
【発明の概要】
【発明が解決しようとする課題】
【０００８】
上記構成では、開口縁部の屋外側に、ビス止め部分（入隅部１０４，１１３及び枠部材１０５，１１１の取付板部１０５ａ，１１１ａ）となる隙間を確保する必要がある。シーリング材によってその隙間をシールすることが困難であるため、防水シール１０７，１１５を圧入する構成を採用するしかない。
【０００９】
ここで、前記防水シール１０７，１１５を隙間に圧入する上では、その圧縮の程度が大きい程、防止シール１０７，１１５のシール性能が高くなる。そのため、高い防水性を確保するためには、防水シール１０７，１１５の厚みを隙間の寸法よりもできるだけ大きくする必要がある。
【００１０】
しかしながら、防水シール１０７，１１５の厚みが増すほど隙間への圧入が困難となるため、その圧入作業の施工性が悪いという問題がある。そうかといって、その施工性改善のために防水シール１０７，１１５の厚みを薄くしてしまうと、防水性能が低下してしまうため、その対策を採用できない。
【００１１】
しかも、開口部１０２を屋外側から見た場合に、開口縁部に設けられた枠部材１０５，１１１の周囲で、防水シール１０７，１１５があらわになってしまう従来の構成では、建物の美観という観点でも改善の余地がある。
【００１２】
そこで、本発明は、防水性を確保しながら、施工性を向上させるとともに、外観の見栄えもよくなる開口部構造、及び壁体の端縁部に枠部材を設置する設置方法を提供することを主たる目的とするものである。
【課題を解決するための手段】
【００１３】
本発明は、上記課題を解決するために、以下の手段を採用した。
【００１４】
すなわち、第１の発明では、建物の壁体に屋内外を連通する開口部が形成され、前記壁体における前記開口部側の端縁部に枠部材が設置される開口部構造であって、前記壁体の端縁部は、外壁面に対して裏面となる当接面を有するとともに、前記枠部材は、前記当接面に前記裏面側から当接した状態で前記壁体に固定される枠下地部を有する構造とした。
【００１５】
この第１の発明によれば、枠部材はその枠下地部が外壁の裏面側で当接した状態で設置された構造となっており、この場合、防水性は裏面側の当接部分で確保することが可能となる。このため、屋外側から枠部材をビス止めしていた従来の構造とは異なり、ビス止め用の隙間を屋外側に設ける必要がなく、そこに防水シールを圧入するといった作業も不要となる。これにより、防水性を確保しながら、施工性を向上させ、また、外観の見栄えもよくすることができる。
【００１６】
なお、前記開口部は、ドア（扉）や窓障子等の開閉体が設けられる開口部であり、具体的には、玄関口、勝手口及び窓等が例として考えられる。前記枠部材は、前記開閉体を開閉可能に支持するものであり、具体的にはドア枠や窓枠等が例として考えられる。中でも、開閉体としてのドアが設置される、玄関口や勝手口等の開口部である場合に、開口部の下側を除く、左右及び上側に設置される枠部材に関して、上記構造を採用することが好適となる。
【００１７】
第２の発明では、前記枠下地部は、前記当接面と対向する対向面を有しており、その対向面と前記当接面との間には防水部材が設けられているとした。
【００１８】
この第２の発明によれば、防水部材により、外壁の裏面側で、前記枠下地部が設置された箇所の防水性を確保することができる。
【００１９】
第３の発明では、前記壁体は、外壁面を表面とする外壁面材とその下地フレームとを有する外壁パネルを備え、その外壁パネルの端縁部では、前記外壁面材の裏面と前記下地フレームの端面とで入隅部が形成され、その入隅部を形成する面材裏面を前記当接面とした。
【００２０】
この第３の発明によれば、外壁面材の裏面を、前記枠下地部が当接する当接面として利用している。外壁パネルそのものは既存の構成であるため、その既存構成を利用して当接面を外壁の裏側に形成することで、構成の簡素化を実現できる。
【００２１】
第４の発明では、前記枠下地部は、前記対向面に取り付けられた前記防水部材と、前記対向面の反対側に設けられた下地本体とが一体化されてなり、前記下地本体が前記下地フレームに固定されているとした。
【００２２】
この第４の発明によれば、枠下地部は防水部材と下地本体とが一体化されてなり、そのうち、防水部材を前記当接面に当接させた状態で、前記外壁パネルの端縁部に固定される。そして、枠部材が有する枠下地部は防水部材と下地本体とが一体化され、その下地本体を下地フレームに固定すれば枠部材が設置される。このため、枠部材の設置を容易に行うことができ、施工性向上に寄与できる。
【００２３】
第５の発明では、前記枠下地部は、前記防水部材を前記当接面に押し当てるようにして設置され、その防水部材は圧縮された状態で設けられているものとした。
【００２４】
この第５の発明によれば、防水部材が当接面に押し当てられて圧縮された状態となっているため、その防水性能を高めることができる。
【００２５】
第６の発明では、前記枠下地部の押し込み量を規制して、前記枠部材が配置される位置を位置決めする位置決め構造を有する。
【００２６】
この第６の発明によれば、防水部材を当接面に押し当てるべく、枠下地部を押し込む場合に、その押し込み量が規制されることで、枠部材がその配置位置に位置決めされる構造となっている。このため、枠部材の配置位置の合わせを容易に行えるとともに、押し込みによる防水部材の圧縮程度の管理も容易に行える。
【００２７】
なお、前記第３の発明を前提とする場合、前記位置決め構造として具体的には、前記枠下地部に設けられた当接板部が、前記外壁パネルの下地フレームにその裏面側から当接した構造を採用することが好ましい。この場合、前記枠下地部を押し込むと、前記当接板部が前記下地フレームに裏面側から当接してその押し込み量が規制される。この規制により、枠部材の位置決めがなされる。
【００２８】
また、前記第４の発明も合わせて前提とする場合であれば、前記当接板部は、前記下地本体の裏面側（防水部材が設けられている屋外側とは反対側、つまり屋内側）に、前記当接板部を有する位置決め部材が設けられることが好ましい。この場合、位置決め部材は鉤状に形成された構成を有することが好ましく、その第１板部が前記下地本体の裏面側に取り付けられ、第２板部が前記当接板部とされる。第１板部と第２板部との段差量の設定次第で、押し込み量を変更することができる。
【００２９】
その他、鉤状をなす前記位置決め部材に代えて、前記下地本体の裏面側に調整板部材が設けられ、その調整板部材の裏面と前記下地フレームの裏面とが面一となることで、位置決めがなされるようにしてもよい。この場合も、調整板部材の厚さを変更すれば、枠下地部の押し込み量を変更することができる。
【００３０】
第７の発明では、前記枠部材は、前記壁体の端縁部より開口部側で、外壁面から屋外側に張り出す張り出し部を有し、その張り出し部と前記壁体の端縁部との間がシーリング材によりシールされているとした。
【００３１】
この第７の発明によれば、枠部材が張り出し部を有していても、その張り出し部と壁体の端縁部との間に形成された隙間は比較的狭いものであるため、シーリング材によるシールによって防水性を確保できる。
【００３２】
第８の発明では、建物の壁体に形成されて屋内外を連通する開口部において、前記壁体における前記開口部側の端縁部に枠部材を設置する方法であって、前記壁体の端縁部は外壁面に対して裏面となる当接面を有し、前記枠部材はその有する枠下地部を前記当接面に前記裏面側から当接させ、その当接状態で前記枠下地部を前記壁体に固定するようにした。
【００３３】
この第８の発明によれば、枠部材は、その枠下地部を外壁の裏面に当接させるようにして設置され、防水性の確保もその裏面側で行われることになる。このため、枠部材を屋外側から設置してビス止めしていた従来方法とは異なり、ビス止め用の隙間を屋外側に設ける必要がなく、そこに防水シールを圧入するといった作業も不要となる。これにより、防水性を確保しながら、施工性を向上させることができる。また、外観の見栄えもよい。
【００３４】
第９の発明では、前記設置方法において、前記枠下地部には、その設置箇所を防水する防止部材が予め設けられており、前記防水部材を前記当接面に押し当ててその防水部材を圧縮させ、その押し当て状態で前記枠下地部を前記壁体に固定するようにした。
【００３５】
この第９の発明によれば、押し当てにより圧縮された状態で防水部材が設けられるため、枠下地部の設置箇所において、高い防水性能を確保できる。
【図面の簡単な説明】
【００３６】
【図１】建物の玄関口を屋外側からみた正面図。
【図２】図１におけるＡ−Ａ断面図。
【図３】左縦枠と縦木枠との結合を示す断面図。
【図４】図１におけるＢ−Ｂ断面図。
【図５】左縦枠の取付前の状態を示す断面図。
【図６】被取付側に対して取付側を押圧する前後の状態を示す断面図。
【図７】上横枠の取付前の状態を示す断面図。
【図８】被取付側に対して取付側を押圧する前後の状態を示す断面図。
【図９】別の実施形態を示す断面図。
【図１０】従来の枠部材設置構成を示す概略図であり、（ａ）は左縦枠の断面図、（ｂ）は上横枠の断面図である。
【発明を実施するための形態】
【００３７】
一実施の形態について、図面を参照しつつ説明する。ここでは、建物に設けられる開口部として玄関口を、開口部に設けられる開閉体として玄関扉を想定している。
【００３８】
まず、図１を参照しながら、玄関口の全体像を簡単に説明する。図１は、建物の玄関口を屋外側からみた正面図である。この説明における「左右」とは、屋外側から玄関口を見た場合、つまり、図１の図示を基準とした場合の左右をいうものとする。
【００３９】
図1に示されているように、建物には、屋内の玄関と屋外とを連通する玄関口１１が設けられている。玄関口１１は縦長の矩形状をなすように形成され、その周囲には壁体である外壁部１２の外壁面が広がっている。この玄関口１１の開口縁部のうち、左右及び上側の開口縁部は、外壁部１２の端縁部１３〜１５によって形成されている。
【００４０】
そこには、それぞれ枠体２１〜２３が設置されている。左右に設けられて鉛直（縦）方向に延びているのは縦枠２１，２２であり、左縦枠２１は左側端縁部１３に、右縦枠２２は右側端縁部１４に設けられている。また、上側に設けられて水平（横）方向に延びるているのは上横枠２３であり、上側端縁部１５に設けられている。
【００４１】
これら各枠体２１〜２３を設置する上では、それぞれが個別に、外壁部１２の端縁部１３〜１５に対して設置される。他の設置態様として、左右の縦枠２１，２２及び上横枠２３がコ字状をなす扉枠として一体的に構成され、その扉枠が外壁部１２の端縁部１３〜１５に設置される構成を採用してもよい。
【００４２】
なお、この実施形態では、玄関口１１の下側開口縁１６に下横枠２４が設けられているが、この下横枠２４が省略された玄関口１１としてもよい。
【００４３】
［開口部構造］
次に、下横枠２４を除く、上記各枠体２１〜２３が設置された開口縁部の構造を、図２乃至図４を参照しながら詳しく説明する。なお、左右の開口縁部はいずれも同じ構造を有するため、左側開口縁部に関する説明にとどめる。
【００４４】
図２は、図１におけるＡ−Ａ断面図、つまり左側開口縁部の断面図である。図２において、玄関口１１の左方には、外壁パネル３１が設けられている。外壁パネル３１の屋内側には、図示されていないが、断熱材や石膏ボード等の内装材といった各種の壁構成部材が設けられている。それら各種の壁構成部材と、前記外壁パネル３１とで外壁部１２が構成されている。この外壁部１２の開口側端縁部が、前記左側端縁部１３となっている。
【００４５】
外壁パネル３１は、外壁面を形成する外装材３２と、外装材３２の裏面側（屋内側）に取り付けられた下地フレーム３３とを備えている。外壁面材としての外装材３２は、例えば窯業系サイディング等により形成されている。下地フレーム３３は、断面コ字状の軽量鉄骨材からなるフレーム材が、矩形枠状に連結されることで構成されている。この下地フレーム３３が梁等に取り付けられることにより、外壁パネル３１が固定されている。
【００４６】
前記外装材３２の開口側端縁部は、前記下地フレーム３３（開口側の縦フレーム材３４）よりも開口内側に突出している。この外装材３２の突出により、外壁パネル３１の開口側端縁部では、その裏面側に、縦フレーム材３４のウエブ３４ａの外面と、外装材３２の裏面３５ａとで入隅部３５が形成されている（後述する図５（ａ）参照）。
【００４７】
前記入隅部３５には、前記左縦枠２１を設置する上での下地部分となる縦木枠４１が設けられ、この縦木枠４１に前記左縦枠２１が取り付けられている。縦木枠４１は、複数の木製板材が組み合わされ、入隅部３５よりも幅広の四角形状に形成されてなる。縦木枠４１は、プレート４２を介在させて縦フレーム材３４のウエブ３４ａに当接され、縦フレーム材３４の内側（フランジ形成側）からビス４３で固定されている。このビス４３による固定は、縦方向に沿って所定間隔ごと複数の個所で行われる（前述した図１を参照）。
【００４８】
図３は、左縦枠２１と縦木枠４１との結合を示す断面図である。左縦枠２１は、ステンレス等の金属材料より構成される板材によって、図３に示されているように、その横断面が全体として略矩形状をなすように形成されている。屋内側となる部分では、一の角部が切り欠かれた形状とされ、その切り欠き部分が縦木枠４１との重なり空間５１となっている。図示のように、この重なり空間５１に縦木枠４１の角部を入り込ませることで、左縦枠２１が縦木枠４１に組み付けられる。その状態で、縦木枠４１の一面と当接する取付板部５２を、左縦枠２１はその長手方向に沿って有している。その両者を当接させた状態で、ビス５３により左縦枠２１と縦木枠４１とが結合される。また、玄関口１１側からもビス５４で結合されており、これら直交方向からのビス止めにより左縦枠２１は縦木枠４１に強固に結合される。
【００４９】
図２に戻り、左縦枠２１と結合された縦木枠４１が縦フレーム材３４に固定された状態では、左縦枠２１の取付板部５２が、前記入隅部３５を形成する外装材３２の裏面３５ａと対向している。そして、その両面の間には、縦防水シール４４が圧縮された状態で設けられている。防水部材としての縦防水シール４４は、弾性を有して一定量の圧縮が可能となる樹脂素材により形成されている。
【００５０】
また、左縦枠２１は、外装材３２の表面（外壁面）よりも屋外側に張り出した形状をなしている。その外壁面より張り出した部分が、張り出し部に相当する。この張り出し部分の存在により、外装材３２の開口側端縁部との間には若干の隙間４５が存在している（後述する図５（ｂ）参照）。この隙間４５にはシーリング材４６が設けられ、そこでも防水性が確保されている。
【００５１】
この実施形態では、外装材３２の前記裏面３５ａが当接面であり、それと対向する取付板部５２の面が対向面に相当する。左縦枠２１の取付方法として図５及び図６を用いて後に説明するように、左縦枠２１、縦木枠４１及び防水シール４４は予め一体化されており、それが外壁パネル３１の開口側端縁部に設置されるようになっている。このため、その一体化されたもの（縦枠アセンブリ８１）が枠部材に相当し、枠下地部は、縦木枠４１、取付板部５２及び防水シール４４等を含んで構成されている。
【００５２】
前記縦木枠４１において、前記取付板部５２との当接面とは反対側の面には、左縦枠２１の取り付けに際して位置決め機能を発揮する位置決め板４７がビス４８を用いて取り付けられている。その機能については、左縦枠２１の取付に関する説明として後述する。位置決め板４７は鉤状に形成されており、その第1板部４７ａが縦木枠４１と当接して取り付けられている。一方、第２板部４７ｂは、縦フレーム材３４のフランジ３４ｂに当接された状態でビス４９により固定されている。なお、この位置決め板４７が位置決め部材に相当し、第２板部４７ｂが当接板部に相当する。そして、位置決め板４７の第２板部４７ｂと、フランジ３４ｂとが当接した構成が、位置決め構造となっている。
【００５３】
続いて、上側の開口部構造を説明する、図４は、図１のＢ−Ｂ断面図、つまり上側開口縁部の断面図である。図４において、玄関口１１の上方には、外壁パネル３１が設けられている。この外壁パネル３１を含む外壁部１２の開口側端縁部が、前記上側端縁部１５となっている。前述した左側端縁部１３の構造と同様に、外装材３２の開口側端縁部は、下地フレーム３３（開口側の横フレーム材３６）よりも開口内側に突出している。このため、横フレーム材３６のウエブ３６ａの外面と、外装材３２の裏面３７ａとで入隅部３７が形成されている（後述する図６（ａ）参照）。
【００５４】
この入隅部３７には、調整合板６１を介在させた状態で、前記上横枠２３を設置する上での下地部分となる横木枠６２が設けられ、この横木枠６２に前記上横枠２３が取り付けられている。横木枠６２は、横フレーム材３６のウエブ３６ａに対し、玄関口１１から上方に向けてビス６３で固定されている。このビス６３による固定は、横方向に沿って所定間隔ごと複数の個所で行われる（前述した図１を参照）。
【００５５】
上横枠２３は、前記左縦枠２１と同様、ステンレス等の金属材料より構成された板材で、その横断面が全体として略矩形状をなすように形成されている。この上横枠２３は、その上面部分から鉛直方向に起立して、前記横木枠６２の屋外側端面に当接する取付板部７１を、その長手方向に沿って有している。その両者を当接させた状態でビス７２により固定されることで、上横枠２３は横木枠６２に固定される。
【００５６】
その固定状態では、上横枠２３の取付板部７１は前記入隅部３７を形成する外装材３２の裏面３７ａと対向している。そして、その両面の間には、横防水シール６４が圧縮された状態で設けられている。防水部材としての横防水シール６４は、弾性を有して一定量の圧縮が可能となる樹脂素材によって形成されている。
【００５７】
また、上横枠２３は外装材３２の表面（外壁面）よりも屋外側に張り出した形状をなしている。その外壁面より張り出した部分が、張り出し部に相当する。この張り出し部分の存在により、外装材３２の開口側端縁部との間には若干の隙間６５が形成されている（後述する図６（ｂ）参照）。この隙間６５にはシーリング材６６が設けられ、そこでも防水性が確保されている。
【００５８】
なお、この実施形態では、外装材３２の前記裏面３７ａが当接面であり、それと対向する取付板部７１の面が対向面に相当する。上横枠２３の取付方法として図７及び図８を用いて後に説明するように、上横枠２３、横木枠６２及び防水シール６４は予め一体化されており、それが外壁パネル３１の端縁部に設置されるようになっている。このため、その一体化されたもの（横枠アセンブリ８２）が枠部材に相当し、枠下地部は、横木枠６２、取付板部７１及び防水シール６４等を含んで構成されている。
【００５９】
横木枠６２において、前記取付板部７１との当接面の反対側の面には、上横枠２３の取り付けに際して位置決め機能を発揮する位置決め板６７がビス６８を用いて取り付けられている。その機能については、上横枠２３の取付に関する説明として後述する。左縦枠２１の設置構成における位置決め板４７と同様、ここでも位置決め板６７は鉤状に形成されており、その第1板部６７ａが横木枠６２に取り付けられている。一方、第２板部６７ｂは、調整合板６１及び横フレーム材３６のフランジ３６ｂに当接された状態で、ビス６９により固定されている。なお、この位置決め板６７が位置決め部材に相当し、第２板部６７ｂが当接板部に相当する。そして、位置決め板６７の第２板部６７ｂと、フランジ３６ｂとが当接した構成が、位置決め構造となっている。
【００６０】
このように左縦枠２１及び上横枠２３が設置され、かつ同様に右縦枠２２が設置された状態で、図２及び図４に示されているように、玄関ドア２５がこれらの枠体２１〜２３に対して取り付けられる。
【００６１】
［枠体の設置方法］
次に、外壁部１２の端縁部１３〜１５に対して、左右の縦枠２１，２２及び上横枠２３を取り付ける取付作業について説明する。なお、ここでも、左右の縦枠２１，２２では同じ取付作業が行われるため、左縦枠２１の取付作業に関する説明にとどめる。
【００６２】
まず、左縦枠２１の取付作業について、図５及び図６を参照しながら説明する。図５及び図６は、左縦枠２１の取付作業を示す断面図である。図５は取付前の状態を示し、図６（ａ）（ｂ）は被取付側に対して取付側を押圧する前後の状態を示している。
【００６３】
図５において、被取付側となる外壁部１２の開口側端縁部の構成、つまり、玄関口１１を基準とした場合の前記左側端縁部１３の構成は前記図２を用いて説明したとおりであり、外壁パネル３１に入隅部３５が形成されている。一方、取付側では、前記左縦枠２１に縦木枠４１、縦防水シール４４及び位置決め板４７が取り付けられて、それらが一体化された縦枠アセンブリ８１として構成されている。この縦枠アセンブリ８１は、枠部材に相当する。
【００６４】
縦枠アセンブリ８１において、左縦枠２１と縦木枠４１との結合は、前記図３を用いて説明したとおりである。縦防水シール４４は、左縦枠２１の取付板部５２が縦木枠４１にビス止めされた状態で、その取付板部５２に接着剤等によって固着されている。縦防水シール４４は圧縮される前の状態であり、取付板部５２への接着面とその反対側の面（以下、先端面４４ａという）との間の寸法（厚さ）は、図２に示した状態よりも長くなっている。そして、その先端面４４ａをその垂直方向へ向けて弾性力に抗して押圧すれば、縦防水シール４４が圧縮されるようになっている。位置決め板４７は、その第１板部４７ａが縦木枠４１の前記縦防水シール４４の設置側と反対側の面にビス止めされている。
【００６５】
このように構成された縦枠アセンブリ８１を、前記入隅部３５を形成する外装材３２の裏面３５ａに、前記縦防水シール４４の先端面４４ａを当接させるようにして、左側端縁部１３に取り付ける。
【００６６】
この場合、図６（ａ）に示されているように、縦防水シール４４の先端面４４ａを外装材３２の裏面３５ａに当接させ、その当接状態から、位置決め板４７の第２板部４７ｂが縦フレーム材３４のフランジ３４ｂに当接するまで押し込むようにする。すると、その押圧力Ｆを受けて、図６（ｂ）に示されているように、縦防水シール４４が圧縮されるとともに、左縦枠２１の先端部が屋外側へさらに張り出した状態となる。この場合の押し込み量（縦防水シール４４の圧縮量）Ｌ１は、縦防水シール４４の先端面４４ａを当接させただけの状態において、位置決め板４７の第２板部４７ｂとフランジ３４ｂとの間の寸法（換言すれば、第１板部４７ａと第２板部４７ｂとの間の段差量）に依存する。
【００６７】
この第２板部４７ｂとフランジ３４ｂの両者が当接することにより、自動的に押し込み量Ｌ１が設定される。この実施形態では、縦防水シール４４の厚さが略半分となる程度となる押し込み量Ｌ１が設定されている。この押し込んだ状態で、ビス４３を用いて縦フレーム材３４のウエブ３４ａと縦木枠４１とを固定し、かつ位置決め板４７の第２板部４７ｂと縦フレーム材３４のフランジ３４ｂとを固定すれば、左縦枠２１の取り付けが完了する。
【００６８】
続いて、上横枠２３の取付作業について、図７及び図８を参照しながら説明する。図７及び図８は、上横枠２３の取付作業を示す断面図である。図７は取付前の状態を示し、図８（ａ）（ｂ）は被取付側に対して取付側を押圧する前後の状態を示している。
【００６９】
図７において、被取付側となる外壁部１２の開口側端縁部の構成、つまり、玄関口１１を基準とした場合の前記上側端縁部１５の構成は、前記図４を用いて説明したとおりであり、外壁パネル３１に入隅部３７が形成されている。一方、取付側では、前記上横枠２３に横木枠６２、横防水シール６４、調整合板６１及び位置決め板６７が取り付けられて、それらが一体化された横枠アセンブリ８２として構成されている。この横枠アセンブリ８２が、枠部材に相当する。
【００７０】
横枠アセンブリ８２の構成、及びそれを前記上側端縁部１５に取り付ける作業は、前記縦枠アセンブリ８１と概ね同じである。つまり、横枠アセンブリ８２では、非圧縮状態の横防水シール６４が上横枠２３の取付板部７１に固着されており、その先端面６４ａを外装材３２の裏面３７ａに当接させるようにして取り付ける。この場合、図８（ａ）に示されているように、横防水シール６４の先端面６４ａを外装材３２の裏面３７ａに当接させた後、位置決め板６７の第２板部６７ｂが横フレーム材３６のフランジ３６ｂに当接するまで押し込む。これにより、図８（ｂ）に示されているように、横防水シール６４は圧縮されるとともに、上横枠２３の先端部が屋外側へさらに張り出す。ここでも、その押し込み量（横防水シール６４の圧縮量）Ｌ２は、横防水シール６４の厚さが略半分となる程度となるように設定されている。その状態で、ビス６３を用いて横フレーム材３６のウエブ３６ａと横木枠６２とを固定し、かつ位置決め板６７の第２板部６７ｂと横フレーム材３６のフランジ３６ｂとを固定すれば、上横枠２３の取り付けが完了する。
【００７１】
ちなみに、上記図５及び図６の図示から明らかなように、縦枠アセンブリ８１は、その一部（縦木枠４１の一部や縦防水シール４４）が、外壁パネル３１に形成された入隅部３５に入り込んだ状態で設置される。このため、玄関口１１の左右に縦枠アセンブリ８１が設置された状態において、その両縦枠アセンブリ８１間の外寸法は、玄関口１１の開口領域における横幅（外装材３２の端面間の寸法）よりも大きくなっている。
【００７２】
以上の構成により、以下に示す有利な効果が得られる。
【００７３】
（１）外装材３２の裏面３５ａ，３７ａに、防水シール４４，６４を押し当てるようにして枠アセンブリ８１，８２を設置する設置方法により、左右及び上側の各枠体２１〜２３が外壁部１２の端縁部１３〜１５に設置される。玄関口１１の開口縁部は、枠アセンブリ８１，８２の下地部分が、外壁面に対する裏面側に当接した構造となっている。この場合、その裏面側で防水性が確保されている。このため、屋外側からビス止めしていた従来の構造とは異なり、ビス止め用の隙間を屋外側に設けることも、そこにシールを圧入するといった作業も不要となる。これにより、防水性を確保しながら、施工性を向上させ、また、外観の見栄えもよくすることができる。
【００７４】
（２）枠アセンブリ８１，８２の防水シール４４，６４を押し当てる面として、外装材３２の裏面３５ａ，３７ａを利用している。外壁パネル３１そのものは既存の構成であるため、その既存構成を利用して押し当て面が形成されているため、構成の簡素化を実現できる。
【００７５】
（３）枠体２１〜２３、防水シール４４，６４及び縦横の木枠４１，６２が一体化されて枠アセンブリ８１，８２が形成され、そのうち防水シール４４，６４を外装材３２の裏面３５ａ，３７ａに押し当てて設置するようにしている。この場合、縦横の木枠４１，６２を下地フレーム３３に固定すれば、枠アセンブリ８１，８２の設置が完了する。そのため、枠体２１〜２３の設置を容易に行うことができ、施工性向上に寄与できる。
【００７６】
（４）防水シール４４，６４は圧縮された状態で設けられているため、高い防水性能を発揮できる。
【００７７】
（５）枠アセンブリ８１，８２を押し込むと、位置決め板４７，６７の第２板部４７ｂ，６７ｂが下地フレーム３３のフランジ３４ｂ、３６ｂに当接することで、その押し込み量が規制されて位置決めされる。これにより、枠アセンブリ８１，８２の配置位置の合わせを容易に行えるとともに、押し込みによる防水シール４４，６４の圧縮程度の管理も容易に行える。また、位置決め板４７，６７において、その第１板部４７ａ，６７ａと第２板部４７ｂ、６７ｂとの段差量の設定次第で、押し込み量を変更することもできる。
【００７８】
（６）枠体２１〜２３は外壁面よりも屋外側に張り出した部分を有しているが、その張り出し部分と外装材３２の端縁部との間に形成された隙間４５，６５は比較的狭い。このため、シーリング材４６，６６によるシールによって、防水性を確保できる。
【００７９】
［別の実施形態］
なお、以上説明した実施の形態に限らず、例えば以下に別例として示した形態で実施することもできる。
【００８０】
（ａ）上記実施の形態では、外壁パネル３１において、外装材３２とフレーム材３４，３６とで入隅部３５，３７が形成されているが、外壁部１２を構成する他の部材によって、屋内側に入隅部３５，３７が形成される構成を採用してもよい。その構成は、前記外壁パネル３１を有しない外壁構造を有する場合に好適となる。要は、被取付側となる外壁部１２の端縁部において、防水シール４４，６４を押し当てる面が外壁面に対する裏面側に形成された構成を有していれば足りる。
【００８１】
（ｂ）上記実施の形態では、建物に設けられる開口部として玄関口を想定して説明したが、勝手口や窓等の開口部であってもよい。また、開閉体としても、玄関ドア２５ではなく、窓障子等の開閉体であってもよい。その開閉体に関しては、開き戸や引き戸等の種類が存在するが、そのいずれであってもよい。
【００８２】
（ｃ）上記実施の形態では、位置決め板４７，６７が設けられることにより、枠アセンブリ８１，８２の押し込み量Ｌ１，Ｌ２が決められる位置決め構造を有しているが、その位置決め構造は省略してもよい。
【００８３】
また、位置決め構造を採用する場合でも、前記位置決め板４７，６７を用いた構成ではなく、図９に示されているように、位置決め合板９１，９２が用いられた構成を採用してもよい。この位置決め合板９１，９２は調整板部材に相当し、縦横の木枠４１，６２において、前記位置決め板４７，６７の第１板部４７ａ，６７ａが取り付けられていた部分に取り付けられる。枠アセンブリ８１，８２を押し込む場合に、この位置決め合板９１，９２の反取付面（屋外側の面）が、フレーム材３４，３６のフランジ３４ｂ，３６ｂと面一となるまで押し込むことでその押し込み量を判断できる。位置決め合板９１，９２の厚さを変更すれば、枠アセンブリ８１，８２の押し込み量を変更することもできる。
【００８４】
（ｄ）上記実施の形態では、枠体２１〜２３を含む枠アセンブリ８１，８２を構成して、それを外壁部１２の端縁部１３〜１５に取り付けるようにしていたが、一体化された各構成要素を個別に取り付けるようにしてもよい。これによっても、屋外側にビス止め用の隙間が形成されないため、シールの圧入作業が不要となるし、美観も向上する。とはいえ、施工性の改善という点では、枠アセンブリ８１，８２として設置する方が好ましい。
【００８５】
（ｅ）上記実施の形態では、枠アセンブリ８１，８２を、その設置作業者の力によって押し込むようにしているが、ボルト及びナットを用いて、そのいずれかの締め付けに伴って枠アセンブリ８１，８２が押し込まれるように構成してもよい。この場合、位置決め板４７，６７の第２板部４７ｂ，６７ｂとフランジ３３４ｂ，３６ｂとを結合するビス４９，４９に代えて、ボルト及びナットを用いて結合される構成を採用することが、その例として考えられる。
【符号の説明】
【００８６】
１１…玄関口（開口部）、１２…外壁部（壁体）、１３…左側端縁部、１４…右側端縁部、１５…上側端縁部、３１…外壁パネル、３２…外装材（外壁面材）、３３…下地フレーム、３５，３７…入隅部、３５ａ，３７ａ…裏面（当接面）、４１…縦木枠（下地本体）、４４…縦防水シール（防水部材）、６２…横木枠（下地本体）、８１…縦枠アセンブリ（枠部材）、８２…横枠アセンブリ（枠部材）。
【図１】
2011214319.tif 000003
【図２】
2011214319.tif 000004
【図３】
2011214319.tif 000005
【図４】
2011214319.tif 000006
【図５】
2011214319.tif 000007
【図６】
2011214319.tif 000008
【図７】
2011214319.tif 000009
【図８】
2011214319.tif 000010
【図９】
2011214319.tif 000011
【図１０】
2011214319.tif 000012